(57)【要約】【課題】    頭髪に装着した際に模造宝玉のみが頭髪に残るようにしたものであって、宝玉だけが頭髪上で輝き、豪華で存在感を発揮できる頭飾品装置を提供すること。【解決手段】    頭飾粒１は、台座２の表面に模造宝玉３を接着し、台座２の裏面に通孔４を設けたものである。頭飾粒装着具１１は、先端で二つ折りにした差込み線材１２の基端を取手管１３に固着したものである。頭飾品装置１０は、頭飾粒装着具１１の差込み線材１２を頭飾粒１の通孔４に挿通したものである。頭飾粒１は複数個を頭飾粒装着具１１の差込み線材１２に挿通する。【選択図】    図１
0003127590.tif 000002
【実用新案登録請求の範囲】
【請求項１】
頭飾粒（１）が、台座（２）の表面に模造宝玉（３）を接着し、上記台座の裏面に通孔（４）を設けたものからなり、頭飾粒装着具（１１）が、先端で二つ折りにした差込み線材（１２）の基端を取手管（１３）に固着したものからなり、上記頭飾粒装着具の差込み線材を上記頭飾粒の通孔に挿通したことを特徴とする頭飾品装置。
【請求項２】
頭飾粒（１）が、頭飾粒装着具（１１）の差込み線材（１２）に複数個挿入されていることを特徴とする請求項１に記載の頭飾品装置。
【請求項３】
頭飾粒（１０１）が、模造宝玉（１０３）を接着した２つの台座（１０２）を使用し、上記各台座の底面同士を通孔（１０４）が形成されている部材を用いて一体成形したことを特徴とする請求項１に記載の頭飾品装置。
【考案の詳細な説明】
【技術分野】
【０００１】
本考案は、頭飾品装置に関するものである。
【背景技術】
【０００２】
従来から模造宝玉を使用した頭飾品は数多く提案されており、一例として、コイル状に巻いたコイル主体部（１０）の両端に模造宝玉（１１）を固着したものであり、コイル主体部のコイルを隙間なく巻いておき、頭髪に装着する時は、コイル主体部を引っ張ってコイルに隙間を形成し、この状態で頭髪に押し付けて手を離すことで、コイルの隙間で頭髪を挟み上記模造宝玉を装着するものが知られている（特許文献１）。
【０００３】
これとは別に、模造宝玉（１２）を埋設した２つの頭飾チップ（１０）を柔軟性のある紐状の接続片（１１）で接続し、一方の頭飾チップに突起（１３）を設け、他方の頭飾チップに前記突起と嵌合する凹穴（１４）を設けておき、使用する時は、複数本の頭髪を頭飾チップの突起及び凹穴を形成した面で挟持し、当該突起を凹穴に嵌合して頭飾チップどうしを結合して頭髪に装着するものがある（特許文献２）。
【０００４】
【特許文献１】実用新案登録第３０６２７６４号公報
【特許文献２】実用新案登録第３０６５４２８号公報
【０００５】
特許文献１に記載の考案は、コイル状に形成したコイル主体の端部に模造宝玉を設けているので、頭髪に装着した際に、模造宝玉が頭髪の正面に現われないので、宝玉の存在感が発揮され難いと言う問題があった。
【０００６】
特許文献２に記載の考案は、模造宝玉が頭飾チップに埋め込まれているので、頭髪に装着した際に、模造宝玉が頭飾チップと共に頭髪上に現われ、また、模造宝玉が頭髪正面に装着されないこともあり、宝玉の持つ豪華さに些か欠けるといった難点があった。
【考案の開示】
【考案が解決しようとする課題】
【０００７】
本考案が解決しようとする課題は、頭髪に装着した際に模造宝玉のみが頭髪に残るようにしたものであって、宝玉だけが頭髪上で輝き、豪華で存在感を発揮できる頭飾品装置を提供することである。
【課題を解決するための手段】
【０００８】
解決手段の第１は、請求項１に対応するものであり、頭飾粒が、台座の表面に模造宝玉を接着し、上記台座の裏面に通孔を設けたものからなり、頭飾粒装着具が、先端で二つ折りにした差込み線材の基端を取手管に固着したものからなり、上記頭飾粒装着具の差込み線材を上記頭飾粒の通孔に挿通したことを特徴とするものである。
【０００９】
解決手段の第２は、請求項２に対応するものであり、頭飾粒が、頭飾粒装着具の差込み線材に複数個挿入されていることを特徴とするものである。
【００１０】
解決手段の第３は、請求項３に対応するものであり、頭飾粒が、模造宝玉を接着した２つの台座を使用し、上記各台座の底面同士を通孔が形成されている部材を用いて一体成形したことを特徴とするものである。
【考案の効果】
【００１１】
請求項１は、頭飾粒が台座の表面に模造宝玉を接着したものであるから、頭髪に装着した際に、模造宝玉のみが頭髪に残るから、宝玉だけが頭髪上で輝き、豪華で存在感を発揮するものである。
【００１２】
請求項２は、複数個の頭飾粒がセットされているから、一度に複数の頭飾粒を装着できることの効果がある。
【００１３】
請求項３は、頭飾粒が２つの模造宝玉を有しているから、頭髪に装着した際に頭飾粒が傾いても他の頭飾粒が現われるので、興味深いものが得られることの効果がある。
【考案を実施するための最良の形態】
【００１４】
図１は本考案の全体を示しており、Ａは装置を表側からみた斜視図、Ｂは装置を裏側からみた斜視図、図２は頭飾粒を示しており、Ａは表側からみた斜視図、Ｂは裏側からみた斜視図、Ｃは断面図、図３は頭飾品の装着手順を示す斜視図、図４は頭髪に装着された状態を示す斜視図、図５は他の実施形態による頭飾粒を示す斜視図である。
【００１５】
図２を参照して、頭飾装置を構成する頭飾粒１は、円盤状の台座２の表面に模造宝玉３を接着し、裏面に台座面に平行する方向の通孔４を設けたものである。なお、実施形態では、台座２の平面形状が円盤状に形成されているが、平面形状が任意であることは勿論である。
【００１６】
上記模造宝玉は、任意の形状に形成したものでよいが、実施形態では、所謂ダイヤカットされたものを使用している。また、上記通孔４は、チューブ管を切断して台座２の裏面に接着しものでも良いが、台座２をプラスチックで成形するのであれば、当該通孔４を含めて一体成形することができる。
【００１７】
頭飾粒１は上記した構造を有しており、該頭飾粒１を５ないし６粒を１単位にした頭飾品装置１０を形成する。すなわち、図１に示すように、頭飾品装置１０は、頭飾粒装着具１１が先端で二つ折りにした差込み線材１２の基端を取手管１３の開口部に固着したものからなり、上記差込み線材１２を頭飾粒１の通孔４に挿入して使用するものである。
【００１８】
実施形態では、差込み線材１２に５個の頭飾粒１を挿入している。なお、差込み線材１２は、張りがあり、しかも頭飾粒１から突出した部分が輪状になる頭髪挿入輪１４が形成できる資材、例えば、スチール製ワイヤーなどが適している。
【００１９】
次に、本考案の頭飾品装置を使用して頭飾粒１を頭髪に装着する手順を説明する。
【００２０】
まず、差込み線材１２に挿通した全ての頭飾粒１は、取手管１３の近傍に寄せて最先端の頭飾粒１の前方に頭髪挿入輪１４が形成できるように準備し、ここで、頭髪挿入輪１４に複数本の頭髪２０を挿入する（図３Ａ）。
【００２１】
次に、当該頭髪挿入輪１４から突出した頭髪を折り曲げ、次いで最先端の頭飾粒１を移動して差込み線材１２から二つ折りした頭髪２０まで移動する（図３Ｂ）。
【００２２】
続いて、二つ折りになった頭髪の自由端を頭飾粒１から外し、または、二つ折りの頭髪の基端を手で押えて頭飾粒装着具１１を引っ張り、頭髪の自由端を頭飾粒１から外す（図３Ｃ）。
【００２３】
その後は、頭飾粒装着具１１を頭髪２０から完全に外し、頭髪２０に頭飾粒１のみを装着する。図４は頭飾粒１を頭髪に装着した状態を示しており、実施形態では、縦方向に５個の頭飾粒１が装着されているが、頭髪に装着する頭飾粒１の個数及び装着する位置は任意である。
【００２４】
図５は他の実施形態による頭飾粒を示している。ここで頭飾粒１０１は、模造宝玉１０３を接着した台座１０２を２個使用し、各台座１０２の底面同士を通孔１０４が形成されている部材を用いて一体成形したものである。
【００２５】
図５に示す実施形態の場合も、頭髪に装着する手順は先に説明した手順どおりである。ただし、ここでは、頭飾粒１０１が通孔１０４に対して裏表に設けられているから、頭飾粒１０１が傾いた時は裏面の頭飾粒が現われ興味深くなるものである。
【図面の簡単な説明】
【００２６】
【図１】本考案の全体形状を示しており、Ａは表側からの斜視図、Ｂは裏側からの斜視図。
【図２】頭飾粒を示しており、Ａは表側からの斜視図、Ｂは裏側からの斜視図、Ｃは断面図。
【図３】図３は頭飾粒の装着手順を示す斜視図。
【図４】頭飾粒が頭髪に装着された状態を示す斜視図。
【図５】他の実施形態による頭飾粒を示す斜視図。
【符号の説明】
【００２７】
１  頭飾粒
２  台座
３  模造宝玉
４  通孔
１０  頭飾品装置
１１  頭飾粒装着具
１２  差込み線材
１３  取手管
１４  頭髪挿入輪
２０  頭髪
【図１】
0003127590.tif 000003
【図２】
0003127590.tif 000004
【図３】
0003127590.tif 000005
【図４】
0003127590.tif 000006
【図５】
0003127590.tif 000007